(57)【特許請求の範囲】
【請求項１】
互いに螺合可能な前軸（２）と後軸（３）とからなる軸筒の内部にレフィル（９）を交換可能に収容させ、前記レフィル（９）を前方へ付勢するコイルスプリング（８）を前記後軸（３）内に収容させると共に、前記レフィル（９）のペン先を前記前軸（２）前端から外部に突出させてなる筆記具であって、金属製の薄肉有底筒体からなる後軸（３）周壁を内方変形させ、前記後軸（３）内周面に環状凸部（３２）を一体形成し、前記環状凸部（３２）に前記コイルスプリング（８）外周面を嵌合させてなることを特徴とする筆記具。
【請求項２】
互いに螺合可能な前軸（２）と後軸（３）とからなる軸筒の内部にレフィル（９）を交換可能に収容させ、前記レフィル（９）を前方へ付勢するコイルスプリング（８）を前記後軸（３）内に収容させると共に、前記レフィル（９）のペン先を前記前軸（２）前端から外部に突出させ、筆記時、キャップ（４）を、前記前軸（２）から外して前記後軸（３）に嵌合させる筆記具であって、金属製の薄肉有底筒体からなる後軸（３）周壁を環状に内方変形させることによって、前記内方変形箇所の内周面に、コイルスプリング（８）外周面と嵌合する環状凸部（３２）を一体形成すると共に、前記内方変形箇所の外周面に、キャップ（４）内周面の凸部（６１）と嵌合する環状凹部（３１）を一体形成したことを特徴とする筆記具。
【発明の詳細な説明】
【０００１】
【発明の属する技術分野】
本発明は筆記具に関する。詳細には、ボールペン、マーキングペン等のレフィールを交換可能に金属製軸筒内に収容させた筆記具に関する。
【０００２】
【従来の技術】
従来、この種の筆記具において、尾栓にキャップ嵌合機能やコイルスプリング保持機能を持たせた構成は広く知られている。
【０００３】
例えば、実開平１−８５０８７号明細書には、尾栓にキャップ嵌合部を配設した構成が開示されている。即ち、軸筒後端に固着した尾栓に、キャップの嵌合部が嵌合する周状のリブからなる被嵌合部を一体に連設したレフィール交換式筆記具が開示されている。しかし、前記従来の筆記具は、キャップの繰り返しの着脱によって、軸筒後端に固着した尾栓の固着状態が緩み、キャップの後ろ差し嵌合を不安定なものにするおそれがある。
【０００４】
また、実公平２−３９０４号公報には、コイルスプリングを確実に固定保持するために、軸筒の底部に、スプリング保持部材（即ち尾栓）が嵌入固定された構成が開示されている。詳細には、前記保持部材にコイルスプリングに外嵌する雌ねじ状保持部を形成するとともに、該雌ねじ状保持部を前記コイルスプリングのピッチと等しいか、若しくは若干大きいピッチに形成した構成が開示されている。しかし、前記従来の構成は、コイルスプリングを雌ねじ状保持部に嵌入させる際に、強い押し込みやねじ込みを要するため、取り付け作業が容易ではない。
【０００５】
さらに、前記した実開平１−８５０８７号明細書、実公平２−３９０４号公報に記載の構造にあってはいずれも、尾栓等の別部材を必要とするため、部品点数を増加させたり、あるいはその取付作業を必要として製造工程を増加させ、筆記具全体の製造コストを高くしてしまう。
【０００６】
【発明が解決しようとする課題】
本発明は、前記従来の問題点を解決するものであって、軸筒後部（後軸）にキャップ嵌合部を形成するタイプの筆記具にあっては、安定したキャップの後ろ差し嵌合を維持できると共に、筆記具全体の部品点数を減少させ、製造工程を簡略化させることを目的とする。また、後軸内にコイルスプリングの保持部を形成するタイプの筆記具にあっては、コイルスプリングの取り付け作業を容易にすると共に、筆記具全体の部品点数を減少させ、筆記具全体の製造工程を簡略化させることを目的とする。尚、本発明において、「前」とは筆記具のペン先方向、「後」とは筆記具の尾端部方向を示す。
【０００７】
【課題を解決するための手段】
１．概要
【０００８】
本発明は、互いに螺合可能な前軸２と後軸３とからなる軸筒の内部にレフィル９を交換可能に収容させ、前記レフィル９を前方へ付勢するコイルスプリング８を前記後軸３内に収容させると共に、前記レフィル９のペン先を前記前軸２の前端から外部に突出させてなる筆記具１であって、金属製の薄肉有底筒体からなる後軸３の周壁を内方変形させ、前記後軸３の内周面に環状凸部３２を一体形成し、前記環状凸部３２に前記コイルスプリング８外周面を嵌合させてなることを要旨とする。
【０００９】
また、本発明は、互いに螺合可能な前軸２と後軸３とからなる軸筒の内部にレフィル９を交換可能に収容させ、前記レフィル９を前方へ付勢するコイルスプリング８を前記後軸３内に収容させると共に、前記レフィル９のペン先を前記前軸２の前端から外部に突出させ、筆記時、キャップ４を、前記前軸２から外して前記後軸３に嵌合させる筆記具１であって、金属製の薄肉有底筒体からなる後軸３の周壁を環状に内方変形させることによって、前記内方変形箇所の内周面に、コイルスプリング８外周面と嵌合する環状凸部３２を一体形成すると同時に、前記内方変形箇所の外周面に、キャップ４内周面の凸部６１と嵌合する環状凹部３１を一体形成したことを要旨とする。
【００１０】
２．軸筒
軸筒後部（後軸３）は、底壁と周壁とが金属板の絞り加工によって一体に形成された薄肉の金属製有底筒体が好ましく、その材質としては、例えば、アルミニウム、ステンレス鋼、洋白、真鍮等の金属材料が挙げられる。また、前記軸筒後部（後軸３）は、筆記具１の軸筒として一般的な外径寸法（例えば５ｍｍ〜１５ｍｍ程度）にあるとき、その肉厚は、０．１ｍｍ〜１．０ｍｍ程度が、内方への塑性変形の容易な点で好ましい。
【００１１】
前記軸筒後部（後軸３）の周壁に直接、内方変形によって一体に形成する環状凹部３１及び環状凸部３２は、回転ローラーを軸筒後部（後軸３）外周面に圧接させる転造加工によって得ることが好ましい。それにより、軸筒後部（後軸３）の周壁に、短時間で効率よく、環状凹部３１及び環状凸部３２を一体形成することができる。
【００１２】
３．キャップ
キャップ４の後ろ差し嵌合部（即ち、後軸３の環状凹部３１と嵌合する凸部６１を備えた後ろ差し嵌合部）は、適度な弾性を有する点で合成樹脂（例えばポリエチレン、ポリプロピレン等）から構成されることが好ましい。実際には、凸部６１を一体的に設けたシールキャップ（例えば、クリップが一体に形成された合成樹脂製の有底筒体、又は外筒５内に取り付けられる内筒６）を合成樹脂により構成することが好ましい。また、前記凸部６１は、環状突起または複数の点状突起の何れであってもよい。
【００１３】
４．レフィル
レフィル９は、ボールペン、マーキングペン等、いずれの筆記具レフィルであってもよい。例えば、前記レフィル９は、インキ収容管９１内に油性または水性のインキと該インキの消費に伴い前進する逆流防止剤を直接収容させるタイプ、貯液部に生インキを収容し、ペン先と貯液部の間に、該貯液部の内圧変化に応じたインキの流入−流出を調節する櫛歯状インキ保留部材を介在させた直液タイプ、あるいはインキ収容管９１内に収容させたインキ吸蔵体にインキを貯蔵させるタイプ等を挙げることができる。
【００１４】
【作用】
【００１５】
（請求項１の作用）
金属製の薄肉有底筒体からなる後軸３の周壁を内方変形させ、該後軸３の内周面に環状凸部３２を一体形成し、前記環状凸部３２にコイルスプリング８外周面を嵌合させてなることにより、小さな押し込み力で簡単にコイルスプリング８を取り付けることができると共に、尾栓等の別部材が不要となり、筆記具全体の部品点数を減少させ、筆記具全体の製造工程を簡略化させることが可能となる。
【００１６】
（請求項２の作用）
金属製の薄肉有底筒体からなる後軸３の周壁を環状に内方変形させることによって、前記内方変形箇所の内周面に、コイルスプリング８外周面と嵌合する環状凸部３２を一体形成すると共に、前記内方変形箇所の外周面に、キャップ４内面の凸部６１と嵌合する環状凹部３１を一体形成する。それにより、安定したキャップ４の後ろ差し嵌合の維持と、容易なコイルスプリング８の取り付け作業が可能になる。その上、筆記具全体の部品点数を減少させると共に、軸筒後部の内外面に、コイルスプリング８保持部とキャップ４との後ろ差し嵌合部を、同時に形成することができるので、製造工程をより一層、簡略化させ、製造コストを低減させることが可能である。
【００１７】
【発明の実施の形態】
本発明実施の形態を図面に従って説明する。
【００１８】
図１及び図２に本発明の一実施例を説明する。
【００１９】
（レフィル）
レフィル９は、ボールペンレフィルである。すなわち、先端にボールペンチップ９３（ペン先）を備えたチップホルダー９２と、該チップホルダー９２が一端開口部に圧入固着されたインキ収容管９１と、該インキ収容管９１の他端開口部に圧入固着された尾栓９４とからなるボールペンレフィルである。
【００２０】
前記チップホルダー９２は、合成樹脂の射出成形体であって、先端にボールペンチップ９３が固着されている。前記ボールペンチップ９３は、金属製パイプの先端に内方変形によって、ボール受け座とボール抱持縁を形成し、それらによりボールを回転可能に抱持している。
【００２１】
前記インキ収容管９１は、合成樹脂の押出成形パイプからなり、その内部には、油性または水性インキが直接収容されると共に、該インキ後端にインキ消費に伴い前進するグリス状の逆流防止剤が充填されている。
【００２２】
前記尾栓９４は、鍔部がインキ収容管９１の後端から露出しており、該鍔部をインキ色に着色することにより、インキ収容管９１内のインキの色を識別表示させることができる。また、前記尾栓９４は、インキ収容管９１の尾端部からの逆流防止剤の流出を阻止すると同時に、インキ収容管９１の内部と外部とを連通させる通気孔を有し、インキ収容管９１内と外気との空気交替をさせることができる。
【００２３】
（軸筒）
軸筒は、互いに螺合可能な前軸２と後軸３からなる。
【００２４】
前記前軸２は、口金２１と、首筒２２と、連結筒２３とからなる。すなわち、前記前軸２は、先細状の金属製（例えば黄銅製）の口金２１と、該口金２１が前端小径部に固着される金属製（例えばアルミニウム製）の首筒２２と、該首筒２２の後端に固着される金属製（例えば黄銅製）の連結筒２３とからなる。
【００２５】
前記連結筒２３は、取付部２３ａと、鍔部２３ｂと、螺合部２３ｃとからなる。詳細には、前記連結筒２３は、首筒２２の開口内周面と固着するための筒状の取付部２３ａと、該取付部２３ａの後方に連設し且つ首筒２２後端面に当接する鍔部２３ｂと、該鍔部２３ｂの後方に連設し且つ後軸３開口内面の雌ねじ部と螺合する雄ねじ部を備えた螺合部２３ｃとからなる。
【００２６】
前記後軸３は、アルミニウム製の薄肉有底筒体（肉厚０．５ｍｍ）からなる。前記後軸３の前端の開口部内面には、前軸２の雄ねじ部２３ｃと螺合可能な雌ねじ部が設けられている。一方、前記後軸３の後端部周壁は、径方向外方から内方へのローラーの圧接により、一箇所が環状に内方変形される。それにより、前記内方変形箇所の外周面には、径方向内方へ凹陥した環状凹部３１が、一方、前記内方変形箇所の内周面には、径方向内方へ突出する環状凸部３２が、同時に後軸３周壁に直接一体に形成される。すなわち、後軸３周壁の表側には環状凹部３１が形成され、該環状凹部３１の裏側には環状凸部３２が形成される。
【００２７】
（コイルスプリング）
前記後軸３内の底部には、コイルスプリング８が挿入され、前記環状凸部３２内周にコイルスプリング８外周面が圧入嵌合される。前記環状凸部３２の内径は、前記コイルスプリング８が圧入嵌合可能なよう、前記コイルスプリング８の外径より僅かに小さく設定される。本実施例では、前記環状凸部３２の内径寸法は５．４ｍｍ、前記コイルスプリング８の外径は５．５ｍｍに設定された。尚、前記コイルスプリング８は、金属線材よりなる圧縮コイルスプリングである。
【００２８】
前記コイルスプリング８は、軸筒内に収納されたレフィル９の尾栓９４端面をペン先方向へ付勢する。この時、レフィル９のチップホルダー９２鍔部が、首筒２２の内面に形成されたテーパ状内面２２ａに当接されると共に、レフィル９のホールペンチップ（ペン先）が前記口金２１の先端孔から外部に突出される。
【００２９】
（キャップ）
キャップ４は、外筒５と内筒６とからなる。詳細には、外面に金属製クリップ５１が固着された金属製（例えばアルミニウム製）の薄肉有底筒体よりなる外筒５と、その外筒５内部に取り付けられる合成樹脂製（例えば、ポリエチレン製）の内筒６とからなる。
【００３０】
（内筒）
前記内筒６は、金属製（例えば黄銅製）の取付リング７を介して外筒５底部に固着される。前記取付リング７は、その外周面が、外筒５の底部内周面に固着され、そして、内筒６の頂部外周の環状溝に落とし込み嵌合される。また、前記内筒６の開口部内周面には、４個の点状の凸部６１が等間隔周状に形成される。そして、キャップ後ろ差し時、前記凸部６１が後軸３の環状凹部３１に落とし込み嵌合される。さらに、前記内筒６の頂部内周面には、合成ゴムよりなるペン先シール部材６２が圧入により取り付けられている。前記ペン先シール部材６２は、キャップ４を前軸２に挿着した際、ボールペンチップ９３の先端ボールと密接される。
【００３１】
図３に本発明の他の例を示す。（図１，図２の変形例）
【００３２】
図２の実施例同様、金属製の後軸３の後端部周壁は、径方向外方から内方へのローラーによる転造加工によって、環状に内方塑性変形される。それにより、前記内方変形箇所の外周面には、径方向内方へ凹陥した環状凹部３１が、一方、前記内方変形箇所の内周面には、径方向内方へ突出する環状凸部３２が、同時に後軸３周壁に直接、一体形成される。
【００３３】
ここで、図２の実施例と異なる点は、後軸３の環状凹部３１前方にテーパ状の当接壁３１ａを大きく設けた点にある。前記当接壁３１ａは、合成樹脂製の内筒６の開口端内壁（ここでは凸部６１）と当接し、キャップ４を後軸３後端部に装着させる際、該キャップ４に強い押し込み力が加わると内筒６開口端の内径を押し広げようとする。もし、前記凸部６１が当接壁３１ａを乗り越え、凸部６１内径が大きく拡径されると（すなわち弾性変形限度内を越えて塑性変形されると）、凸部６１と環状凹部３１との嵌合が緩くなるおそれがある。
【００３４】
しかし、本実施例では、内筒６外周面と外筒５内周面との隙間Ａが、当接壁３１ａを乗り越えることによる凸部６１内径の拡径量Ｂよりも小に設定されている（すなわちＡ＜Ｂ）。それにより、キャップ後ろ差し時、内筒６の凸部６１が当接壁３１ａを乗り越える前に、弾性変形限度内に僅かに拡径された内筒６の外周壁が、外筒５の内周壁によって規制される。それにより、凸部６１の当接壁３１ａの乗り越えが防止され、長期にわたり安定した後ろ差し嵌合を維持できる。
【００３５】
【発明の効果】
【００３６】
本発明筆記具は、金属製の薄肉有底筒体からなる後軸の周壁を内方変形させ、前記後軸の内周面に環状凸部を一体形成し、前記環状凸部に前記コイルスプリング外周面を嵌合させてなること（請求項１）により、コイルスプリングの取り付け作業を容易にすることができると共に、筆記具全体の部品点数を減少させ、筆記具全体の製造工程を簡略化させることが可能とある。
【００３７】
また、本発明筆記具は、金属製の薄肉有底筒体からなる後軸の周壁を環状に内方変形させることによって、前記内方変形箇所の内周面に、コイルスプリング外周面と嵌合する環状凸部３２を一体形成すると共に、前記内方変形箇所の外周面に、キャップ内周面の凸部と嵌合する環状凹部を一体形成したこと（請求項２）により、安定したキャップの後ろ差し嵌合の維持と、容易なコイルスプリングの取り付け作業が可能になる。その上、筆記具全体の部品点数を減少させると共に、軸筒後部の内外面に、同時に、キャップの後ろ差し嵌合部とコイルスプリング保持部を形成することができ、製造工程をより一層、簡略化させ、製造コストを低減させることが可能である。
【図面の簡単な説明】
【図１】キャップを後ろ差し嵌合させた際の本発明筆記具の縦断面図である。
【図２】図１の要部拡大断面図である。
【図３】他の例の要部拡大断面図である。
【符号の説明】
１  筆記具
２  前軸（軸筒前部）
２１  口金
２２  首筒
２３  連結筒
３  後軸（軸筒後部）
３１  環状凹部
３１ａ  当接壁
３２  環状凸部
４  キャップ
５  外筒
５１  クリップ
６  内筒
６１  凸部
６２  ペン先シール部材
７  取付リング
８  コイルスプリング
９  レフィル
９１  インキ収容管
９２  チップホルダー
９３  ボールペンチップ
９４  尾栓
【図１】
0003624335.tif 000002
【図２】
0003624335.tif 000003
【図３】
0003624335.tif 000004